(57)【特許請求の範囲】
【請求項１】
筐体に収容された表示部、第１の出力部、および第２の出力部を備えるディスプレイにおいて、
前記表示部は、横方向の長さが縦方向の長さの２倍以上のアスペクト比を有し、
前記第１の出力部は、前記表示部の上辺に沿って正面に向かって配置され、より遠い位置の左側の音声を出力する複数個の左チャンネルのスピーカ、より遠い位置の右側の音声を出力する複数個の右チャンネルのスピーカ、およびより遠い位置の中央の音声を出力する複数個の中央チャンネルのスピーカを有し、
前記第２の出力部は、前記表示部の下辺に沿って正面に向かって配置され、より近い位置の左側の音声を出力する複数個の左チャンネルのスピーカ、より近い位置の右側の音声を出力する複数個の右チャンネルのスピーカ、およびより近い位置の中央の音声を出力する複数個の中央チャンネルのスピーカを有する
ディスプレイ。
【請求項２】
前記表示部を有する筺体の側面には、排気フィンが設けられている
請求項１に記載のディスプレイ。
【発明の詳細な説明】
【技術分野】
【０００１】
本発明はディスプレイに関し、特に、より臨場感のある環境を体験できるようにしたディスプレイに関する。
【背景技術】
【０００２】
テレビジョン受像機においては、立体的な音声を聴取できるように左右にスピーカが配置されていることが多い。これにより左右で異なる２チャンネルの音声を聴取できるため、ユーザはより臨場感のある音声を楽しむことができる。
【０００３】
また、左右のチャンネル以外に中央チャンネルを用意して合計３チャンネルとし、テレビジョン受像機の上下に配置したスピーカから中央チャンネルの音声を出力させ、中央チャンネルのスピーカの前に音響レンズを配置して音像を定位させることも提案されている（例えば、特許文献１）。
【０００４】
【特許文献１】特開平６−３５４８９号公報
【発明の開示】
【発明が解決しようとする課題】
【０００５】
しかしながら、前記提案のような構造にしても、ユーザに臨場感のある環境を体験させることは困難である。
【０００６】
本発明は、このような状況に鑑みてなされたものであり、ユーザにより臨場感のある環境を体験させることができるようにするものである。
【課題を解決するための手段】
【０００７】
本発明の一側面は、筐体に収容された表示部、第１の出力部、および第２の出力部を備えるディスプレイにおいて、前記表示部は、横方向の長さが縦方向の長さの２倍以上のアスペクト比を有し、前記第１の出力部は、前記表示部の上辺に沿って正面に向かって配置され、より遠い位置の左側の音声を出力する複数個の左チャンネルのスピーカ、より遠い位置の右側の音声を出力する複数個の右チャンネルのスピーカ、およびより遠い位置の中央の音声を出力する複数個の中央チャンネルのスピーカを有し、前記第２の出力部は、前記表示部の下辺に沿って正面に向かって配置され、より近い位置の左側の音声を出力する複数個の左チャンネルのスピーカ、より近い位置の右側の音声を出力する複数個の右チャンネルのスピーカ、およびより近い位置の中央の音声を出力する複数個の中央チャンネルのスピーカを有するディスプレイである。
【００１０】
前記表示部を有する筐体の側面には、排気フィンを設けることができる。
【００１１】
本発明の一側面においては、ディスプレイの筐体が、表示部、第１の出力部、および第２の出力部を備える。表示部は、横方向の長さが縦方向の長さの２倍以上のアスペクト比を有し、第１の出力部は、表示部の上辺に沿って正面に向かって配置され、より遠い位置の左側の音声を出力する複数個の左チャンネルのスピーカ、より遠い位置の右側の音声を出力する複数個の右チャンネルのスピーカ、およびより遠い位置の中央の音声を出力する複数個の中央チャンネルのスピーカを有し、第２の出力部は、表示部の下辺に沿って正面に向かって配置され、より近い位置の左側の音声を出力する複数個の左チャンネルのスピーカ、より近い位置の右側の音声を出力する複数個の右チャンネルのスピーカ、およびより近い位置の中央の音声を出力する複数個の中央チャンネルのスピーカを有する。
【発明の効果】
【００１２】
以上のように、本発明の一側面によれば、ユーザにより臨場感のある環境を体験させることができる。
【発明を実施するための最良の形態】
【００１３】
以下、図を参照して本発明の実施の形態について説明する。
【００１４】
図２は、本発明のディスプレイの正面の構成を表している。同図に示されるように、この実施の形態のディスプレイ２１は薄型とされ、表示部３１、第１の出力部３２、および第２の出力部３３を筐体３０に収容する。
【００１５】
筐体３０のほぼ中央には、横方向の長さが縦方向の長さの2倍以上のアスペクト比を有する表示部３１が設けられている。この表示部３１は、例えば、液晶ディスプレイ、プラズマディスプレイ、有機ＥＬ（Electroluminescence）ディスプレイなどで構成できる。
【００１６】
画像のアスペクト比は、ハイビジョン方式の場合１６対９とされる。この方式は、４対３のアスペクト比のＮＴＳＣ方式の画像に較べれば迫力はあるが、ユーザに臨場感あふれる画像を提供するにはまだ不充分である。そこで、本発明においては、映画のシネマスコープ（登録商標）に代表されるような、横方向の長さが縦方向の長さの略2倍以上のアスペクト比を有するスコープサイズとされる。
【００１７】
これにより、例えば、サッカー競技の中継画像を表示する場合、スタジアムで起きている観客のウエーブの様子を画像として表示することができるだけでなく、そのウエーブを見ている他の観客の画像も同時に表示することができる。従って、ユーザは表示部３１に表示されている画像の中から注視する画像を選択することができ、より臨場感あふれる画像を体感することができる。
【００１８】
また、この表示部３１には、メタデータなどのサブ情報に基づく画像も表示可能とされる。例えば、サッカースタジアムで行われている試合の様子がメインの画像として表示部３１に表示される一方、その下方には、その時点の得点である数値０対１、得点が０であるチームのエンブレム画像５１−１、そのチームの選手のサムネイル画像５２−１乃至５２−１２、得点が１であるチームのエンブレム画像５１−２、そのチームの選手のサムネイル画像５３−１乃至５３−１２などが表示されている。
【００１９】
筐体３０の内部には、表示部３１の長手方向の上辺３１Ｕに沿って、複数のチャンネルの音声を出力する第１の出力部３２が、正面に向かって（表示部３１と同じ方向を指向するように）配置されている。この実施の形態の場合、第１の出力部３２は、左上チャンネル、中央上チャンネル、および右上チャンネルの３チャンネルの音声を出力するものとされ、各チャンネルの音声を出力するスピーカ４１，４２，４３が設けられている。
【００２０】
さらにこの実施の形態の場合、左上チャンネルの音声を出力するスピーカ４１は３個のスピーカ４１−１乃至４１−３で構成されている。スピーカ４１−１乃至４１−３は同種のスピーカとされ、一種のトーンゾイレを形成している。
【００２１】
中央上チャンネルの音声を出力するスピーカ４２は４個のスピーカ４２−１乃至４２−４で構成されている。スピーカ４２−１乃至４２−４も同種のスピーカとされ、一種のトーンゾイレを形成している。
【００２２】
右上チャンネルの音声を出力するスピーカ４３は３個のスピーカ４３−１乃至４３−３で構成されている。スピーカ４３−１乃至４３−３も同種のスピーカとされ、一種のトーンゾイレを形成している。
【００２３】
さらに筐体３０の内部には、表示部３１の長手方向の下辺３１Ｄに沿って、複数のチャンネルの音声を出力する第２の出力部３３が正面に向かって（表示部３１と同じ方向を指向するように）配置されている。この実施の形態の場合、第２の出力部３３は、左下チャンネル、中央下チャンネル、および右下チャンネルの３チャンネルの音声を出力するものとされ、各チャンネルの音声を出力するスピーカ４４，４５，４６が設けられている。
【００２４】
さらにこの実施の形態の場合、左下チャンネルの音声を出力するスピーカ４４は３個のスピーカ４４−１乃至４４−３で構成されている。スピーカ４４−１乃至４４−３は同種のスピーカとされ、一種のトーンゾイレを形成している。
【００２５】
中央下チャンネルの音声を出力するスピーカ４５は４個のスピーカ４５−１乃至４５−４で構成されている。スピーカ４５−１乃至４５−４も同種のスピーカとされ、一種のトーンゾイレを形成している。
【００２６】
右下チャンネルの音声を出力するスピーカ４６は３個のスピーカ４６−１乃至４６−３で構成されている。スピーカ４６−１乃至４６−３も同種のスピーカとされ、一種のトーンゾイレを形成している。
【００２７】
第1の出力部３２と第2の出力部３３は、遠近方向で異なる位置の音声を出力する。この実施の形態の場合、第１の出力部３２の３つのチャンネルは第２の出力部３３より遠い位置の音声を出力する。
【００２８】
すなわち、左チャンネルのスピーカ４１とスピーカ４４は、いずれも左チャンネルの音声を出力するのであるが、スピーカ４１はより遠い位置の左チャンネルの音声である左上チャンネルの音声を出力し、スピーカ４４は、スピーカ４１はより近い位置の左チャンネルの音声である左下チャンネルの音声を出力する。
【００２９】
中央チャンネルのスピーカ４２とスピーカ４５は、いずれも中央チャンネルの音声を出力するのであるが、スピーカ４２はより遠い位置の中央チャンネルの音声である中央上チャンネルの音声を出力し、スピーカ４５は、スピーカ４２はより近い位置の中央チャンネルの音声である中央下チャンネルの音声を出力する。
【００３０】
右チャンネルのスピーカ４３とスピーカ４６は、いずれも右チャンネルの音声を出力するのであるが、スピーカ４３はより遠い位置の右チャンネルの音声である右上チャンネルの音声を出力し、スピーカ４６は、スピーカ４３はより近い位置の右チャンネルの音声である右下チャンネルの音声を出力する。
【００３１】
このように、より遠い位置の左側の音、より遠い位置の中央の音、より遠い位置の右側の音、より近い位置の左側の音、より近い位置の中央の音、より近い位置の右側の音、という合計６チャンネルの音声を出力することで、ユーザにより臨場感のある音声を体験させることができる。
【００３２】
なお、第１の出力部３２により近い位置の音声を出力させ、第２の出力部３３により遠い位置の音声を出力させることもできるが、第１の出力部３２により遠い位置の音声を出力させ、第２の出力部３３により近い位置の音声を出力させた方が、より自然な感覚を得ることができる。
【００３３】
スピーカ４１乃至４６におけるスピーカの数は、それぞれ１個とすることもできる。これによってもユーザに充分臨場感ある音声を体験させることができる。
【００３４】
スピーカ４１乃至４６をそれぞれ複数個のスピーカで構成し、一種のトーンゾイレを形成すると、スピーカを配列した方向（表示部３１の左右方向）の指向性が、それと垂直な方向（表示部３１の上下方向）に較べて狭くなる。その結果、表示部３１のより右側の位置で視聴するユーザは、左側の音声をより遠くに感じ、表示部３１のより左側の位置で視聴するユーザは、右側の音声をより遠くに感じることになる。その結果、ユーザは視聴する位置に応じて異なる感覚を得ることができ、より臨場感が高まることになる。
【００３５】
なお、スピーカ４１−１乃至４６−３は、通常のコーンスピーカで構成することができる。その正面から見た形状は楕円形としたが、円形であってもよい。またコーンスピーカ以外のスピーカを用いることもできる。
【００３６】
第１の出力部３２と第２の出力部３３は、筐体３０の内部に収容されている。従って、ディスプレイとは別体の複数のスピーカを用意し、そのスピーカをユーザの前方や後方に配置する場合に較べて、占有される空間が少なくて済み、空間を有効利用することができる。また、スピーカの位置を調整する手間も必要がないので、ユーザは簡便に臨場感を体験することができる。
【００３７】
図３に示されるように、ディスプレイ２１の背面には、取付部６１が設けられている。ディスプレイ２１は、その背面が側面から見たときほぼ略円弧状とされた薄型とされ、スコープサイズのディスプレイの設置に適した構造であるため、図４に示されるように、壁７１に近づけて取り付けることができる。その結果、ユーザは、ディスプレイ２１により部屋の有効スペースを制限されることが少なくなり、部屋を有効に活用することができる。
【００３８】
この取付部６１は上下左右方向に回動自在となっており、その位置を調整することで、図５に示されるように、ディスプレイ２１を水平方向より若干下方向に指向させることができる。また、必要に応じて、ディスプレイ２１を水平方向にも回動して、見易い位置に指向させることができる。
【００３９】
図４と図５に示されるように、筐体３０の左側面には、排気フィン７２が設けられている。ここから筐体３０の内部の熱が放出される。なお、図示は省略されているが、筐体３０の右側面にも、排気フィン７２が設けられている。
【００４０】
図６はディスプレイ２１を駆動するブロックの電気的構成を表している。このブロック１００は、ディスプレイ２１と別体としてもよいし、テレビジョン受像機として一体的に構成してもよい。
【００４１】
ブロック１００は、映像信号入力部１０１、サブ情報入力部１０２、および音声信号入力部１０５から、それぞれ映像信号、サブ情報、または音声信号を入力する。これらは図示せぬチューナあるいは外部の装置から供給される。
【００４２】
映像信号入力部１０１は入力された映像信号を駆動部１０３に供給する。サブ情報入力部１０２は入力されたサブ情報に基づく映像信号を生成し、駆動部１０３に供給する。駆動部１０３はサブ情報に基づく映像信号を、映像信号入力部１０１からの映像信号に重畳し、画像表示部１０４に供給する。表示部３１に対応する画像表示部１０４は、入力された映像信号に対応する画像を表示する。
【００４３】
音声信号入力部１０５は６チャンネルの音声信号を入力すると、それを駆動部１０６に供給する。駆動部１０６は６チャンネルの音声信号を各チャンネル毎に分離し、音声出力部１０７乃至１１２に出力する。それぞれ、スピーカ４１乃至４６に対応する音声出力部１０７乃至１１２は、各チャンネルの音声信号に対応する音声を出力する。
【００４４】
例えばマイクロコンピュータなどよりなる制御部１１３は各部の動作を制御する他、排気部１１４，１１５を制御し、左右の排気フィン７２から筐体３０の内部の熱を放出する。
【００４５】
なお、本発明の実施の形態は、上述した実施の形態に限定されるものではなく、本発明の要旨を逸脱しない範囲において種々の変更が可能である。
【図面の簡単な説明】
【００４６】
【図１】従来のテレビジョン受像機の構成を示す斜視図である。
【図２】本発明のディスプレイの構成を示す正面図である。
【図３】本発明のディスプレイの構成を示す平面図である。
【図４】本発明のディスプレイの構成を示す左側面図である。
【図５】本発明のディスプレイの構成を示す左側面図である。
【図６】本発明のディスプレイの電気的ブロックの構成を示すブロック図である。
【符号の説明】
【００４７】
２１  ディスプレイ，  ３０  筐体，  ３１  表示部，  ３２  第１の出力部，  ３３  第２の出力部，  ４１乃至４６，４１−１乃至４６−３  スピーカ，  ５１−１，５１−２  エンブレム画像，  ５２−１乃至５２−１２，５３−１乃至５３−１２  サムネイル画像，  ６１  取付部，  ７２  排気フィン
【図１】
0004427763.tif 000002
【図２】
0004427763.tif 000003
【図３】
0004427763.tif 000004
【図４】
0004427763.tif 000005
【図５】
0004427763.tif 000006
【図６】
0004427763.tif 000007